(57)【要約】  光学信号によって仲間と通信をするための携帯可能な通信装置（１）は、ハウジングと、利用者が通信装置（１）を携帯するためのハウジングに設けられた保持部（１２）と、ハウジングの上に光学信号を表示するための表示手段（２）と、通信装置（１）を制御するためのマイクロプロセッサ（５）とを有し、表示手段（２）は利用者によって機械的に自由に構成可能である。このような通信装置によって仲間の間で通信をする方法は、表示手段（２）を機械的に構成する工程と、機械的な構成に固有のパラメータを用いて通信装置（１）をプログラミングする工程とを有する。
2018529154.tif 000002
【特許請求の範囲】
【請求項１】
光学信号によって仲間と通信をするための携帯可能な通信装置（１）であって、
ハウジングと、
利用者が前記通信装置（１）を携帯するための前記ハウジングに設けられた保持部（１２）と、
前記ハウジングの上に光学信号を表示するための表示手段（２）と、
前記通信装置（１）を制御するためのマイクロプロセッサ（５）と
を備え、
前記表示手段（２）は利用者によって機械的に自由に構成可能であることを特徴とする携帯可能な通信装置。
【請求項２】
音響方式の通信手段をさらに備える、ことを特徴とする請求項１に記載の携帯可能な通信装置（１）。
【請求項３】
ハプティック方式の通信手段をさらに備える、ことを特徴とする請求項１または２に記載の携帯可能な通信装置（１）。
【請求項４】
前記表示手段（２）は行事固有および／または利用者固有のメッセージを通知および／または交換するように構成されている、ことを特徴とする請求項３に記載の携帯可能な通信装置（１）。
【請求項５】
前記表示手段（２）は交換可能かつ選択的に組み合わせ可能な表示部材（２０，２１）を有する、ことを特徴とする請求項１から４のいずれか１項に記載の携帯可能な通信装置（１）。
【請求項６】
前記表示手段（２）は発光手段（２２１，２２２）を有する、ことを特徴とする請求項１から５のいずれか１項に記載の携帯可能な通信装置（１）。
【請求項７】
前記表示手段（２）はスクリーンを有する、ことを特徴とする請求項１から６のいずれか１項に記載の携帯可能な通信装置（１）。
【請求項８】
前記通信装置（１）の位置特定をするための位置特定手段をさらに備える、請求項１から７のいずれか１項に記載の携帯可能な通信装置。
【請求項９】
メッセージを無線で受信するための受信器をさらに備える、請求項１から８のいずれか１項に記載の携帯可能な通信装置（１）。
【請求項１０】
メッセージを無線で送信するための送信器をさらに備える、請求項１から９のいずれか１項に記載の携帯可能な通信装置（１）。
【請求項１１】
化学物質を検知するためのセンサをさらに備える、請求項１から１０のいずれか１項に記載の携帯可能な通信装置（１）。
【請求項１２】
利用者の心臓リズム、脈拍および／または心拍数変動を測定するためのセンサをさらに備える、請求項１から１１のいずれか１項に記載の携帯可能な通信装置（１）。
【請求項１３】
前記光学信号の照明を衣服に伝送するよう、前記通信装置（１）は前記衣服と接続可能である、ことを特徴とする請求項１から１２のいずれか１項に記載の携帯可能な通信装置（１）。
【請求項１４】
請求項１から１３のいずれか１項に記載の通信装置（１）によって仲間の間で通信をする方法であって、
前記表示手段（２）を機械的に構成する工程と、
前記機械的な構成に固有のパラメータを用いて前記通信装置（１）をプログラミングする工程と
を備える方法。
【発明の詳細な説明】
【技術分野】
【０００１】
本願発明は、光学信号および／またはハプティック信号および／または音響信号によって仲間と通信をするための通信装置、ならびに通信装置によって仲間の間で通信をする方法に関する。
【背景技術】
【０００２】
今日、市民の独身者割合が高くなっており、片親家庭の数も増加している。その該当者はしばしば職業活動をしており、時間的に非常に拘束されている。可能なパートナーを見つけるために、人はたとえば独身者行事に行く。しかし、それは多くの場合に高価である。親類、知人、友人などがしばしばそうした独身者行事に必ずしも同行してくれないことも、その欠点である。
【０００３】
インターネットやスマートフォンにはさまざまなパートナープラットフォームがある。しかし、真面目なパートナープラットフォームは多くの場合にかなりコスト高であり、ＰＣの前に１人でいる時間が積み重なり、もしくはその時間がない。しかも、そうしたプラットフォームには多くの不心得者もおり、あるいは、たとえば申告している身長などの基準に合わないという理由で最初から「はじき出される」。こうしたプラットフォームへの興味が強くなると、再三にわたり「虚偽申告」をする誘惑にかられる。
【０００４】
たとえばスマートフォンなどによる独身者のネットワーク化は、すでに数多くのネガティブなニュースの見出しになっているが、それは、たとえば個人データが回覧されて、誰それが「パートナー募集中」であることを望ましくない人物らが不意に知る場合があるためである。しかも、このような独身者アプリをもつ利用者がどこにいるかを表示するスマートフォンの位置特定を通じて、ストーキングの被害者にもなり得る。
【発明の概要】
【発明が解決しようとする課題】
【０００５】
すなわち本願発明の目的は、上に述べた欠点を克服する通信装置およびこれに対応する方法を提案することにある。
【課題を解決するための手段】
【０００６】
この目的とその他の利点は、対応する独立請求項に記載の通信装置によって達成される。
【０００７】
この目的とその他の利点は、対応する独立請求項に記載の仲間と通信をする方法によっても達成される。
【０００８】
この目的とその他の利点は、特に、ハウジングと、利用者が通信装置を携帯するためのハウジングに設けられた保持部と、ハウジングの上に光学信号を表示するための表示手段と、通信装置を制御するためのマイクロプロセッサとを有する、光学信号によって仲間と通信をするための携帯可能な通信装置によって達成され、表示手段は利用者によって自由に構成可能である。
【０００９】
本願発明の実施形態において、表示手段は、行事固有および／または利用者固有のメッセージを通知するために構成される。
【００１０】
本願発明の実施形態において、表示手段は機械的に交換可能および／または相互に選択的に組み合わせ可能な表示部材を含む。
【００１１】
本願発明の実施形態において、表示手段は発光手段を含む。
【００１２】
本願発明の実施形態において、表示手段はスクリーンを含む。
【００１３】
本願発明の実施形態において、携帯可能な通信装置は通信装置の位置特定をするための位置特定手段を含む。
【００１４】
本願発明の実施形態において、携帯可能な通信装置はメッセージを無線で受信するための受信器を有する。
【００１５】
本願発明の実施形態において、携帯可能な通信装置はメッセージを無線で送信するための送信器を有する。
【００１６】
本願発明の実施形態において、携帯可能な通信装置は化学物質を検知するためのセンサを有する。
【００１７】
この目的およびその他の利点は、特に、このような通信装置によって仲間の間で通信をする方法によっても達成され、当該方法は、表示手段を機械的に構成する工程と、当該機械的な構成に固有のパラメータを用いて通信装置をプログラミングする工程とを有する。
【００１８】
ハプティック信号とは、本明細書においては、人間の１つまたは複数の感覚に働きかける信号、たとえば触覚による認知、触覚による筋運動感覚、聴覚的、知覚的、熱的、視覚的および／または嗅覚的、化学的な認知を意味する。
【００１９】
以下の記述と図面によって本願発明がより良く理解される。
【図面の簡単な説明】
【００２０】
【図１】図１は、本願発明の一実施形態に基づく通信装置を示す模式図である。
【図２】図２は、本願発明の一実施形態に基づく外周の表示部材を示す模式図である。
【図３】図３は、本願発明の一実施形態に基づく内周の表示部材を示す模式図である。
【図４】図４は、図１の通信装置の基本要素を示す模式図である。
【図５】図５は、図１の通信装置の裏面を示す模式図である。
【発明を実施するための形態】
【００２１】
図１を参照すると、本願発明の通信装置１は携帯可能であるのが好ましい。通信装置１は、たとえばピンバッジの形式で構成される。しかしながら、これ以外の形式の通信装置も本願発明の態様内において可能である。通信装置は、たとえばアームバンド、ネックレスのペンダント、ベルト、装飾品などの形式で構成されていてよい。
【００２２】
本願発明の１つの好適実施形態において、通信装置１は前面１０を有していて、その上で表示手段２を視認可能である。表示手段２は光学信号を表示するための機能を有し、利用者が通信装置１をたとえば衣服に携帯しているときに、前面１０を視認可能である。
【００２３】
別の実施形態において、通信装置１は、利用者にハプティック信号を通信するために、ハプティック方式の通信手段を含んでいる。ハプティック方式の通信手段は、たとえば通信装置１の内部に組み込まれており、図示しない振動ユニットおよび／またはリズムユニットを含んでいる。
【００２４】
これに追加して通信装置１は音響方式の通信手段、たとえば図示しないスピーカをさらに含むことができる。音響方式の通信手段によって音響信号たとえば音声信号を、通信装置１の利用者および当該利用者の近くにいる人々に伝送することができる。
【００２５】
通信装置１は、通信装置１のすべての部材にエネルギー特に電気エネルギーを供給するためのエネルギー源も含んでいるのが好ましい。エネルギー源は、たとえばバッテリ、蓄電池、および／またはソーラーユニットを通信装置１のハウジングの内部または表面に含んでいる。エネルギー源は、通信装置１の外部からは視認可能でないのが好ましい。本願発明の実施形態において、バッテリおよび／または蓄電池は充電可能である。バッテリおよび／または蓄電池は、たとえば通信装置１を外部の電流源たとえば壁面プラグに差し込むことによって充電される。あるいは、ソーラーコレクタ３によってつくられる電気エネルギーを利用することもできる。ソーラーコレクタ３は、たとえば通信装置１の前面１０に配置されてよい。さらに、ハウジングそのものがコーティングによって太陽光の吸収面を提供することができ、太陽エネルギーがエネルギー源として利用されてもよい。
【００２６】
通信装置１のハウジングは、たとえば表示手段２を構成できるようにするために、開くことができるのが好ましい。本願発明の実施形態において、たとえば前面１０は少なくとも部分的に取外し可能である。前面１０は、たとえば一方の側で通信装置１のハウジングにヒンジによって取り付けられており、たとえば通信装置１のその側にある図示しないボタンを操作することで開くことができる。代替例として、前面１０の少なくとも１つの部分を通信装置１から取り出して、再び差し込むことができる。
【００２７】
図２、図３および図４は、本願発明の実施形態に基づく通信装置の表示手段２の各部材の模式図である。
【００２８】
この実施形態において、表示手段２はたとえば２つの表示部材２０，２１（たとえば外周の表示部材２０と内周の表示部材２１）を含み、これらを取外し可能なように本願発明の通信装置１に与えるのが好ましい。表示部材２０，２１は、たとえば通信装置１が開いているときに、通信装置１の基体部材２２に載置可能である。図示した実施形態において表示部材２０，２１は環状であり、互いに同心円となるよう通信装置１の基体部材２２に載置可能に構成される。
【００２９】
表示部材２０、２１の各々のセットは、表示部材２０、２１の対応するセットに対向して規則的に配置される、１つまたは複数の表示領域２０１，２１１を有しているのが好ましい。表示領域２０１，２１１は、たとえば特定の色および／または特定の言葉を表示する領域である。たとえば本例においてひとつの表示領域２０１，２１１は、同じ表示セット２０，２１の他の表示領域２０１，２１１の色および／または言葉と相違する色および／または言葉を表示する。このように、たとえば表示手段２０，２１のセットの各々の表示領域２０１，２１１ごとに異なるメッセージを通知することができる。表示領域２０１，２１１はたとえば光透過性であり、対応するメッセージを視認可能にするために、選択的に個別に背面投射される。
【００３０】
図４を参照すると、図示した実施形態によれば、本願発明の通信装置１の基体部材２２は表示部材２０，２１が基体部材２２の上にあるときに、発光手段２２１，２２２（たとえば発光ダイオード）の位置が、表示部材２０，２１の表示領域２０１，２１１と一致するように、その上側面に発光手段２２１，２２２を含んでいる。このように、表示部材２０，２１が基体部材２２の上にあるときに、それぞれの発光手段２２１，２２２がオンになることで表示領域２０１，２１１を背面投射することができる。
【００３１】
図１を参照すると、図示した実施形態に基づく通信装置１の表示手段２は、通信装置１の前面１０に開口部を有し、通信装置１が閉じられたときにこれらの開口部のそれぞれの位置が基体部材２２上のそれぞれの発光手段の位置一致し、かつ、通信装置１の内部の表示部材２０，２１の表示領域２０１，２１１とも一致するように形成されており、それにより、表示部材２０，２１の表示領域２０１，２１１が対応する開口部を通じて視認可能となる。
【００３２】
図示した実施形態において、通信装置１は円板形である。しかしこれ以外の幾何学形状も本願発明の態様の範囲内において可能である。通信装置１はたとえば長方形、六角形、菱形、あるいは任意の規則的もしくは不規則的な形状であってよい。そして表示部材２０，２１の形状、および通信装置１の内部でのそれらの相対的な位置関係は、特に通信装置１の形状およびサイズに応じて適合される。
【００３３】
図示した実施形態において、通信装置１は２つの表示部材２０，２１を含んでいる。しかしこれ以外の個数の表示部材２０，２１も、本願発明の態様の範囲内で可能である。通信装置１は、通信装置１で同時に利用することができる、たとえば３つ、４つ、またはそれ以上の個数の表示部材２０，２１を含むことができる。
【００３４】
それぞれの表示部材２０，２１は、たとえばそれぞれ異なる性質のメッセージを含むことができる。外周の表示部材２０はたとえば行事固有のメッセージを含むことができ、それに対して内周の表示部材２１は個人的なメッセージを含むことができ、もしくはこの逆であってもよい。
【００３５】
たとえば複数の外周の表示部材２０および／または複数の内周の表示部材２１が１人の利用者に利用可能であり、利用者は、利用者によって選択される特定のメッセージを表示できるようにするために、外周の表示部材２０のうちの１つ、および内周の表示部材２１のうちの１つを、本願発明の通信装置１でそのつど自由に選択して組み合わせることができる。
【００３６】
本願発明の実施形態において、利用者は表示部材２０，２１を自分で作成することができ、それは、たとえば利用者が特定の色および／または言葉を空白の表示部材２０，２１に印刷することによって為される。たとえば何らかの行事の主催者は、何らかのメッセージ、たとえば行事固有のメッセージを、行事提供することができる。行事固有のメッセージは、たとえば主催者のウェブサイトからダウンロードされたものであってよい。代替例として、表示部材２０，２１はたとえばインターネットを通じて発注可能であってよく、および／またはその行事のつど直接的に利用可能であってよい。
【００３７】
発光手段２２１，２２２は、たとえば通信装置１のエネルギー源によって電力の供給を受ける。発光手段２２１，２２２は特に個別的かつ選択的に自由にオン・オフすることができる。発光手段２２１，２２２は、たとえば通信装置１の図示しないスイッチによって、および／または遠隔制御によって、特に個別的にオンおよび／またはオフされる。
【００３８】
このように、異なる視覚的なメッセージを表現できるようにするために、表示部材２０，２１を、たとえば別の照明を有する別の表示部材と交換することができる。図示した例において、通信装置１と表示部材２０，２１とは円形である。しかしながら、通信装置１のこれ以外の形状、および表示部材２０，２１のこれ以外の適合された形状も本願発明の態様の範囲内で可能である。代替例として、何らかの発光手段２２１，２２２を、通信装置１に事前にプログラミングされたシェーマによってオンおよび／またはオフすることができる。
【００３９】
本願発明の実施形態において、少なくとも何らかの発光手段２２１，２２２（たとえば外周の発光手段２２１）は、圧力センサを含んでよい。そして圧力センサを備える発光手段２２１，２２２は、たとえば利用者が対応する表示手段２を押すことによって操作される、通信装置１の入力キーとしての役目を果たす。このように通信装置１の利用者は、たとえばそれぞれの感圧式の発光手段２２１，２２２を押すことによってコマンドを入力することができる。
【００４０】
本願発明の別の実施形態において、通信装置１はハプティック方式および／または音響方式の通信手段を含んでおり、たとえば１つまたは複数の振動ユニット、１つまたは複数のリズムユニット、１つまたは複数のスピーカなどを含んでいる。
【００４１】
図５を参照すると、通信装置１は、通信装置１のすべての部材を制御するためのマイクロプロセッサ５をさらに含んでいる。本願発明の実施形態において、マイクロプロセッサ５は、通信装置１の位置を特定できるようにするために、ＧＰＳおよび／またはＧＬＯＮＡＳＳ受信器および／またはその他の位置特定手段を具備しているか、またはそれらに結合されている。
【００４２】
たとえば通信装置１は緊急事態の発生時に利用することができる。通信装置１の既存の通信手段を通じて、緊急状況を音響方式、光学方式、および／またはハプティック方式で表示することができる。これに加えて通信装置１は、たとえば利用者やそのすぐ周辺にいる人にもっとも近くにある出口を表示し、それに応じて、利用者をそちらへ誘導するように制御することができる。
【００４３】
本願発明の実施形態において、通信装置１は、取外し可能なデータキャリア６、たとえばＳＩＭカード、ＳＤカードなどをさらに有してよい。データキャリア６は、たとえばスリット４を通して通信装置１に差し込まれる。代替例として、通信装置へのデータキャリアの差込を可能にするために、通信装置１のハウジングのたとえば裏面１１の一部を開くことができる。データキャリア６は、利用者にとって個人的および／または行事固有的であってよい。データキャリア６には、たとえば通信装置１を制御するためのプログラムが保存されており、これがマイクロプロセッサ５によって実行される。
【００４４】
さらに通信装置１は、支払機能が可能となるようにセットアップされていてよい。付加的に、通信装置１は、入場管理または出場管理の態様で利用することができる。
【００４５】
実施形態において、通信装置１は、特定の機能を有する１つまたは複数の補助マイクロプロセッサ、たとえば化学的なセンサ、脈拍リズム、心拍数変動（Ｈｅａｒｔ  Ｒａｔｅ  Ｖａｒｉａｂｉｌｉｔｙ、ＨＲＶ）、および／または心臓リズムなどを測定するための脈拍センサをさらに含んでよい。
【００４６】
通信装置１の裏面は、特に、利用者によって通信装置１を携帯するための保持部を含んでいる。この保持部は、たとえば衣服にピンバッジとして通信装置１を携帯するためのピン１２を含む。あるいはこれ以外の保持部も本願発明の態様の範囲内で可能であり、たとえば安全ピンやその他の何らかの適応された保持部も可能である。
【００４７】
通信装置１は、特に、１つまたは複数の外部の装置とのデータ交換および／またはエネルギー交換のためのインターフェース７を含んでいる。外部の装置はたとえば電気エネルギー源、パーソナルコンピュータ、センサ、データ受信器などを含む。たとえば通信装置１は、利用者に詳細なメッセージおよび／または呼び出しを適切な仕方で表示するために利用することができ、このとき特に携帯電話またはスマートフォンへの接続が可能である。
【００４８】
図示した例において、通信装置１の表示手段２は表示部材２０，２１を自由に選択し、選択的に組み合わせ、および／または交換できるよう、機械的に構成可能である。本願発明の別の実施形態において、表示手段２のメッセージを電子的に変更できるよう、表示手段２の少なくとも１つの部分が電子的に構成される。電子的に構成可能な表示手段２は、たとえばそれぞれ１つのスクリーン、たとえば小型のＬＣＤスクリーンを含み、そこにさまざまな色および／または言葉を選択的に表示可能である。機械的および電子的に構成可能な表示手段２の組みあわせも、本願発明の態様の範囲内で可能である。
【００４９】
本願発明による通信装置１は、利用者が訪れる行事に関する固有の情報、すなわち、セミナーなどの開始を利用者に知らせる、相手募集の一環としてのプレゼンテーションを利用者に伝送する。
【００５０】
本願発明によると、通信装置１は利用者たとえば独身者に、一般に開放されている行事および／または普通の買い物などで、他の独身者や来訪者の大多数とともに行動する可能性を与える。すなわち利用者は、非独身者や友人などと行事に行くことも普段からあるが、そこでもとりわけ本願発明の通信装置１を携帯している人物や独身者が現れるのを待ち受けることができ、その際に利用者は、そのような１名または複数名の人物とすでに以前に、たとえばインターネットなどを通じて連絡を取ったことがある可能性もある。
【００５１】
通信装置１の個人的な設定は、たとえばウェブサイトによって行うことができる。そのとき設定のパラメータは、たとえば通信装置１へ直接ダウンロードすることができ、またはメモリカードに保存してから、通信装置１へ伝送することもできる。そしてパラメータは、利用者の設定に即して通信装置１を作動させるために、マイクロプロセッサにより読み取られる。
【００５２】
さらに利用者は、たとえばウェブサイトを通じて、当該利用者が個人的に連絡を取りたいと思う相応の会員を探すことができる。
【００５３】
ウェブサイトへの利用者の登録は、紛らわしい登録を回避し、そのようにしてウェブサイトの安全性と信頼性を守るために、たとえば電話接続の定期契約、郵便識別番号、地方自治体の住所証明などの識別を通じて行われるのが好ましい。
【００５４】
たとえば２人の人物がウェブサイトを通じてお互いを探し合っているとき、たとえばその情報を通信装置１にロードすることができる。通信装置１の機能は、たとえばその２人の利用者が行事でも相手を見つけるようにプログラミングされる。信頼性を高めるために、たとえば両方の利用者の滞在場所がその行事のときに把握され、その行事の途中または後に互いにウェブサイトで、該当する２人の利用者に対して可視化され得る。その場合、通信装置１は行事を訪れている時間にだけ作動する。利用者がたとえばウェブサイト上では仮名で識別されることによって、利用者の匿名性が保証されるのが好ましい。通信装置１は自動的に機能するのが好ましく、特に他の機器と、たとえばＰＣやスマートフォンなどと通信することはないが、それが希望される場合はこの限りでない。すなわち利用者は、通信装置１を利用するために電話を手元に有している必要がなく、あるいは常時のインターネットアクセスを有していなくてよい。
【００５５】
通信装置１は、たとえば通信装置１を紛失した場合に悪用を回避するために、遠方からたとえばウェブサイトを通じて不作動化させることができるのが好ましい。
【００５６】
本願発明によると、通信装置１は行事の際に雑多な来場者によって携帯されることがあり得る。行事来場者すなわち利用者は、通信装置１の操作部材によって通信装置１で設定も行えるのが好ましい。利用者は、たとえば互いに組み合わせることもできる選択のために、さまざまな選択肢を有するのが好ましい。本願発明の実施形態において、これらの選択肢はたとえば通信装置１で行われる設定、および／または特定の表示部材２０，２１の通信装置１への適用を含んでいる。たとえば表示部材２０は行事固有の情報を表示し、それに対して第２の表示部材２１は個人的な情報を表示する。行事固有の表示部材２０はたとえば行事主催者によって限定された時間だけ提供される。通信装置１はそのときに、またはその前に、適用される表示部材２０，２１に関して、何らかの表示手段２がたとえば何らかの瞬間および／または何らかの場所で行事中にオンまたはオフされて、相応のメッセージを特定の瞬間または特定の場所で行事の他の来場者に通知し、そのようにしてたとえば音楽、場所、あるいは行事の選択されたテーマに関する話し相手を見つけるようにプログラミングされる。
【００５７】
本願発明の実施形態において、利用者は通信装置１の相応の設定によって、たとえばハプティック信号を送信することもできる。
【００５８】
本願発明の実施形態において、通信装置１は、たとえば音声信号などの音響信号を利用者および／または周辺の人々へ伝送するために、音響方式の通信手段、たとえばスピーカをさらに含んでいる。
【００５９】
本願発明の実施形態において、通信装置１は、通信装置１の特定位置を決定できるようにするために、および／または本願発明の他の通信装置１の距離および／または方向を決定できるようにするために、位置特定手段、たとえばＧＰＳおよび／またはＧＬＯＮＡＳＳ受信器、超音波手段および／または三角測量手段、ＲＦＩＤ位置検出器、および／またはあらゆる適切な位置特定手段をさらに有する。位置特定手段からの関連情報が、たとえば光学信号、ハプティック信号、および／または音響信号を、利用者および／またはその周辺の人々に通知される。このように利用者はその通信装置１によって、たとえば振動および／または音声信号および／または光学信号によって、本願発明に基づく他の通信装置１を有する特定の人物が近くにいるという情報、たとえば０〜１ｍ、１〜５００ｍ、５００〜１５００ｍ、または１５００ｍ〜１０ｋｍのところにいるという情報を得ることができる。
【００６０】
本願発明の実施形態において、通信装置１は、通信装置１を有する利用者がどの方向に移動しているかを表示する、たとえばセンサを有する方向表示器をさらに有する。すなわち探している２人の人物が接近したり、再び互いに離れたりしたとき、その人物に対してハプティック信号、光、振動、音声などを通じてそのことを表示する。通信装置１が上着の下にあるときには、たとえば音声が大きくなる。方向表示器は、たとえば利用者が通信装置１とともに正しい方向へ進んでいるかどうかも表示する。そのために、たとえば機械的な運動が測定されて評価される。可能であればセンサが手にも存在しており、それにより、利用者が１つの方向を示すと、その方向が探している人物に合っているかどうか、通信装置１がフィードバックを与える。
【００６１】
本願発明の実施形態において、通信装置１は、本願発明の他の通信装置１へ、および／またはこれからメッセージを無線で送信および／または受信するための送信／受信ユニットをさらに含んでいる。このように通信装置１は、たとえば近距離の通信チャネルおよび／またはたとえばインターネットなどのネットワークを介して相互に無線で通信することができる。このように本願発明の通信装置１は、その位置特定、設定、利用者の身元などの情報を交換することができる。受信された情報は、たとえば本願発明の通信装置１の光学方式、ハプティック方式、および／または音響方式の表示手段および／または通信手段２によって表示することができる。本願発明の変形例において、本願発明の通信装置１は情報を、たとえば受信された情報を、テキストとして表示するためのスクリーンをさらに有する。
【００６２】
さらに本願発明の通信装置１は、たとえば通信装置１のプログラミングのための行事固有のパラメータが保存された、取外し可能なデータキャリア６を含んでいるのが好ましい。事前に保存されたデータを含むデータキャリア６はたとえば行事の際に入手され、および／または利用者は行事の前にたとえばウェブサイトを通じて行事固有のパラメータをダウンロードして、これをデータキャリア６に保存する。行事固有のパラメータがロードされたデータキャリア６が通信装置１に取外し可能な形で付加され、もしくは差し込まれたときに、たとえば通信装置１の位置特定、光学信号、ハプティック信号、および／または音響信号などの機能をその行事に合わせて適応させるために、行事固有のパラメータを通信装置１のマイクロプロセッサ５によって読み取ることができる。特に、たとえば行事固有のパラメータは行事固有の表示部材２０の構成を含んでおり、それにより、特定のメッセージが通知されたときに、またはもはや通知しなくてよいときに、マイクロプロセッサ５が正しい表示手段２をオンおよびオフする。
【００６３】
本願発明の実施形態において、データキャリア６は光学信号を生成するための別の表示手段２を含む。この別の表示手段２は、たとえば文字のメッセージを暗いところで表示するなどのために、付加的な発光手段、表示器を含む。
【００６４】
本願発明の実施形態において、通信装置１のハウジングは、温度差があるときに色が変わる材料から作成されている。利用者がハウジングを擦り、あるいはその他の仕方で暖めると、通信装置１の色が変わり、このことが別の信号を出す。
【００６５】
たとえば最寄りの出口、展示ブース、および／または人物の位置などの存在するさまざまな対象物の位置特定のために、通信装置１の位置特定機能を利用することができる。このように通信装置１をたとえば宣伝用手段として、および／またはキツネ狩り遊戯（Ｓｃｈｎｉｔｚｅｌｊａｇｄ）、事務所の表示部材などのために利用することができる。
【００６６】
別の実施形態において、通信装置１は対象物と結合して、当該対象物の反応を惹起することができるように構成される。たとえば特定の通信装置１がプリンタに接近すると、プリンタが新たな道案内や地図を印刷する。この機能は、たとえばソーシャルな集団遊戯の際に利用可能である。
【００６７】
たとえば忙しいときは一時停止キーまたは休止キーを操作することも可能である。相手も「探しているパートナー」の行事への到着時または退出時にその信号を受けとる。
【００６８】
本願発明の実施形態において、通信装置１は利用者および／または行事で出会った人物の物理的な量を検出および／または測定するための別のセンサを含んでいる。たとえば通信装置１は心臓リズム／脈拍、心拍数変動、および／または皮膚電位を測定することができ、測定可能な皮膚電位は相手のフェロモンや生理的反応に対して非常に良好に反応する。通信装置１は、たとえばフェロモンについての化学的なセンサも含んでいる。
【００６９】
このようなデータを分析することで、たとえば本願発明の通信装置１は、利用者が相手にどのように受け止められているかを決定する。たとえば行事の後にそのような測定データを相互に交換することで、両方の利用者の通信装置１が、それが相手にも同じであったかどうか決定することができる。
【００７０】
このようなデータ分析を評価することで、本願発明の通信装置１は、それぞれの人物がどのように互い対して反応しているかを表示することができ、それはたとえばフェロモンや心拍など（皮膚電位）に対してであり、それをハプティック信号によって直接的に、またはその後にインターネットプラットフォームで通信可能である。
【００７１】
本願発明の通信装置１は、それ自体で閉じた独自のシステムであるのが好ましい。すべてのデータが暗号化される。すべてのデータが保存されて、選択的に伝送され（ウェブサイト）、これらのデータが伝送時に通信装置１でだけでなくウェブサイトでも選択的に暗号化して伝送、保存され、第三者に転送されることがない。通信装置１は、スマートフォンなどがなくても機能する独立した機器であるのが好ましい。このようにして利用者は、たとえば携帯電話から通信装置１へデータを呼び出すことができないことを確信していられる。
【００７２】
これに加えて通信装置１は衣服とも接続可能であり、通信装置１の光学的な信号手段（典型的には発光ダイオード）の照明を、電子的な導電糸で縫製された（織り込まれた）デザイナー服へ伝送することができる。
【図１】
2018529154.tif 000003
【図２】
2018529154.tif 000004
【図３】
2018529154.tif 000005
【図４】
2018529154.tif 000006
【図５】
2018529154.tif 000007
【国際調査報告】
2018529154.tif 000008
2018529154.tif 000009
2018529154.tif 000010
2018529154.tif 000011
2018529154.tif 000012
2018529154.tif 000013